(57)【要約】【課題】取り扱いが容易で、かつユーザに負担を掛けずに表示画面でのカーソルの位置を正確に設定可能とする。【解決手段】リモコン６には、スライタ８を有するポインティングデバイス７が設けられており、このポインティングデバイス７では、その中心点を中心とする円形状の第１のエリア９とその周囲の第２のエリア１０とが設けられている。また、ＴＶ受像機１のＴＶ画面２では、カーソル可動領域５が設定され、その中にカーソル４が表示される。スライダ８を第１のエリア内でスライドさせると、ＴＶ画面２では、カーソル可動領域５内でカーソルが移動し、スライダ８を第１のエリア内に位置付けると、ポインティングデバイス７の中心点からこのスライダ８を見た方向に対応する方向に、かつカーソル可動領域内でのカーソル４の位置を保ったまま、カーソル可動領域５が所定の速度で移動する。【選択図】図１
2008250472.tif 000002
【特許請求の範囲】
【請求項１】
表示画面上に設定されるカーソル可動エリア内に表示されるカーソルを操作し、該表示画面に表示される選択対象物のいずれかを選択するためのカーソル操作装置であって、
該表示画面に表示される画像内の所定の位置に、該表示画面の一部を占める所定の大きさのカーソル可動エリアを設定し、
該カーソル可動エリア内で該カーソルの位置を絶対移動させる操作を検知する第１の検知手段と、
該表示画面での該カーソル可動エリアを移動させる操作を検知する第２の検知手段と
を備えたことを特徴とするカーソル操作装置。
【請求項２】
請求項１において、
前記カーソル可動エリアの大きさは変更可能であることを特徴とするカーソル操作装置。
【請求項３】
請求項１または２において、
前記第１の検知手段及び前記第２の検知手段は位置検知手段であることを特徴とするカーソル操作装置。
【請求項４】
請求項１または２において、
前記第１の検知手段は位置検知手段であり、前記第２の検知手段は圧力検知手段であることを特徴とするカーソル操作装置。
【請求項５】
請求項１〜４のいずれか１つにおいて、
操作手段として、移動及び押下操作が可能なスライダが設けられ、
前記カーソル可動エリア内で前記カーソルを移動させるためのスライダの操作スライドエリアとしての第１のエリアと、該カーソル可動領域を移動させるためのスライダの操作スライドエリアとしての第２のエリアとを有し、
前記第１の検知手段は、操作によって第１のエリア内を移動する該スライダの位置を検知し、前記第２の検知手段は、該スライダが該第２のエリアにあることを検知し、
該スライダは、押下操作によってマウスダウンイベントを発生し、押下操作の解除によってマウスアップイベントを発生することを特徴とするカーソル操作装置。
【請求項６】
請求項５において、
前記マウスダウンイベントの１つは、
前記スライダが前記第１のエリアをスライドするとき、前記カーソル可動エリア内で前記カーソルの選択対象物を前記カーソルとともに移動させ、
前記スライダが前記第２のエリア内にあるとき、前記カーソル可動エリアを、前記カーソルの選択対象物の前記カーソル可動エリア内での位置関係を保持したまま、移動させる
ドラッグ＆ドロップであること特徴とするカーソル操作装置。
【請求項７】
請求項１〜６のいずれか１つにおいて、
前記選択対象物が複数前記表示画面に配列表示され、前記カーソル可動エリアは複数の前記選択対象物を含むエリアであること特徴とするカーソル操作装置。
【発明の詳細な説明】
【技術分野】
【０００１】
本発明は、ＴＶ（テレビ）受像機などの映像表示装置とそのリモコン（リモートコントローラ）に係り、特に、映像表示装置の表示画面に表示されるカーソルの操作方法及びこれを用いた映像表示システムに関する。
【背景技術】
【０００２】
近年、ＴＶ受像機では、その表示画面（以下、ＴＶ画面という）にメニュー画面が表示され、リモコンでカーソル操作することにより、このメニュー画面の中で所望とするメニューが選択できるようになってきている。
【０００３】
従来、カーソル操作としては、ＰＣ（パソコン）などでマウスを操作することにより、行なわれているものであるが、リモコンでマウス操作することは非常に難しいものであった。
【０００４】
また、タッチパットを用いてカーソル操作を行なう方法もあるが（例えば、特許文献１参照）、リモコンにタッチパットを設けた場合には、このタッチパットは狭い領域のものとならざるを得ず、ＴＶ画面上でカーソルを長い距離移動させるためには、何回も繰り返し指先を動かす操作が必要となり、操作性に問題がある。
【０００５】
さらに、他の例としては、ジョイスティックを用いてカーソル操作を行なう方法が知られている（例えば、特許文献２参照）。
【０００６】
この特許文献２に記載の方法は、各回路のパラメータをカーソルで選択するものであって、表示画面が各回路毎の領域（ブロック）に区分され、各ブロックには、これに該当する回路のパラメータが配列されており、カーソルはいずれかのブロック内に表示される。ジョイスティックは、操作しないときには、中点にあり、中点から操作して折り返す操作を行なったときに、このその折り返し点をピークとして、中点からピークまでの距離（半径）を操作量として、この中点からの操作量が半径ｒ1〜ｒ2（＜ｒ1）の第１の範囲にあるか、半径ｒ2以上の第２の範囲にあるかに応じてカーソルの移動状態を異ならせる。移動量が第２の範囲内であるときには、カーソルを次のブロックに移動させ、かつその第２の範囲内に連続的にあるときには、ブロックを順に移動していくようにし、移動量が第１の範囲内にあるときには、同じブロック内で次のパラメータに移動させ、かつこの第１の範囲にある状態が続くと、同じブロック内でパラメータを順に移動していくようにするものである。
【０００７】
さらにまた、携帯端末において、移動可能なパックを設け、このパックを指先で移動操作することにより、この携帯端末の表示画面に表示されるカーソルを移動させるようにした技術も提案されている（例えば、特許文献３参照）。
【０００８】
この特許文献３に記載の技術は、パックをスプリングで指示して四方に移動可能に設けられており、その移動量と移動方向とが表示画面上でのカーソルの移動方向と移動距離とに一対一に対応したものとするものである。
【特許文献１】特開２００４ー９４９６４号公報
【特許文献２】特開平６−３０１４７８号公報
【特許文献３】特開２００６ー２４４９０号公報
【発明の開示】
【発明が解決しようとする課題】
【０００９】
ところで、上記特許文献２に記載の技術は、スペースを取らず、操作が簡単なものであるが、ユーザが手で持って操作するリモコンにかかるジョイスティックを設けることは、細いスティックがリモコンの操作面から突出する構造をなすものであるから、使用し終わってテーブルなどに置く場合、この細いスティックがテーブル面にぶつかることがないようにするなどの取り扱いに注意が必要があり、扱いにくいという問題がある。また、上記特許文献２に記載の技術では、ジョイスティックの操作に応じてカーソルの移動の仕方（ブロックの配列順やパラメータの配列順）が決まっているので、例えば、隣りのブロック間にカーソルを移動させたい場合でも、カーソルは大きく回り道して移動する場合もあり、カーソル操作に手間がかかるという問題がある。
【００１０】
さらに、ジョイスティックの操作にカーソルが移動する場合、その移動速度が速過ぎる場合には、カーソルを目標とする位置に設定することは難しく、手間がかかるし、遅すぎると、長距離の目標位置までカーソルを移動させるのに時間が掛かり過ぎるという問題があるし、ジョイスティックの傾き角に応じてカーソルの移動速度を調整できるようにすることも考えられるが、最適な移動速度に調整することは難しい。上記特許文献２に記載の技術においても、操作量が第１，第２の範囲にある時間（継続時間）が続くと、次のパラメータ，ブロックにカーソルが移動することになるが、このように１パラメータ，１ブロックを移動させるための継続時間が短いと、この継続時間が少しでも長いとさらに次のパラメータ，ブロックにカーソルが移動してしまい、所望の位置にカーソルを移動させることが難しくなるし、１パラメータ，１ブロックを移動させるための継続時間を長くすると、所望のパラメータ，ブロックにカーソルを移動させるのに長時間を要することになり、操作性が損なわれることになる。
【００１１】
また、上記の特許文献３に記載の技術では、携帯端末という狭い領域にパックの移動領域が設定され、この移動領域でのパックの移動が表示画面全体でのカーソルの移動に対応するものであるから、カーソルをこの表示画面上での所望の位置に設定するために必要なパックの操作は非常に微妙なものとなり、操作に手間が掛かってユーザに過大な負担を掛けることになる。
【００１２】
本願発明の目的は、かかる問題を解消し、取り扱いが容易で、かつユーザに負担を掛けずに表示画面でのカーソルの位置を正確に設定可能としたカーソル操作装置を提供することにある。
【課題を解決するための手段】
【００１３】
上記目的を達成するために、本発明は、表示画面上に設定されるカーソル可動エリア内に表示されるカーソルを操作し、該表示画面に表示される選択対象物のいずれかを選択するためのカーソル操作装置であって、リモコンに操作可能なスライダを有するポインティングデバイスを設け、該ポインティングデバイスは、該表示画面での該カーソル可動エリア内で該カーソルを移動させるための該スライダの操作スライドエリアとしての第１のエリアと、該表示画面上で該カーソル可動エリアを移動させるための該スライダの操作エリアとしての第２のエリアとを有することを特徴とするものである。
【００１４】
また、本発明は、前記カーソル可動エリアの大きさが変更可能であることを特徴とするものである。
【００１５】
また、本発明は、前記第１の検知手段及び前記第２の検知手段が位置検出手段であることを特徴とするものである。
【００１６】
また、本発明は、前記第１の検知手段が位置検知手段であり、前記第２の検知手段が圧力検出手段であることを特徴とするものである。
【００１７】
また、本発明は、操作手段として、移動及び押下操作が可能なスライダが設けられ、前記カーソル可動エリア内で前記カーソルを移動させるためのスライダの操作スライドエリアとしての第１のエリアと、該カーソル可動領域を移動させるためのスライダの操作スライドエリアとしての第２のエリアとを有し、前記第１の検知手段は、操作によって第１のエリア内を移動する該スライダの位置を検知し、前記第２の検知手段は、該スライダが該第２のエリアにあることを検知し、前記スライダが、押下操作によってマウスダウンイベントを発生し、押下操作の解除によってマウスアップイベントを発生することを特徴とするものである。
【００１８】
また、本発明は、前記マウスダウンイベントの１つが、前記スライダが前記第１のエリアをスライドするとき、前記カーソル可動エリア内で前記カーソルの選択対象物を前記カーソルとともに移動させ、前記スライダが前記第２のエリア内にあるとき、前記カーソル可動エリアを、前記カーソルの選択対象物の前記カーソル可動エリア内での位置関係を保持したまま、移動させるドラッグ＆ドロップであること特徴とするものである。
【００１９】
また、本発明は、前記選択対象物が複数前記表示画面に配列表示され、前記カーソル可動エリアは複数の前記選択対象物を含むエリアであること特徴とするものである。
【発明の効果】
【００２０】
本発明によると、表示画面の一部に設定されるカーソル可動領域内におけるカーソルの移動操作、即ち、絶対移動操作により、カーソルの表示画面上での細かい位置設定を容易かつスムーズに行なうことができるし、カーソル可動領域を移動させることにより、カーソルの位置設定可能範囲を表示画面全体とすることができ、表示画面全体にわたって、カーソルの精度の良い位置設定を容易にかつスムーズに行なうことが可能となる。
【発明を実施するための最良の形態】
【００２１】
以下、図面を用いて本発明の実施形態を説明する。
【００２２】
図１は本発明によるカーソル操作装置を用いた映像表示システムの第１の実施形態を示す構成図であって、１はＴＶ受像機、２はＴＶ画面、３はリモコン受光部、４はカーソル、５はカーソル可動エリア、５ａは輪郭線、６はリモコン、７はポインティングデバイス、８はスライダ、９は第１のエリア、１０は第２のエリアである。
【００２３】
同図において、リモコン６は、ＴＶ受像機１を操作するためのものであって、電源ボタンを初めとして各種の操作手段が設けられており、かかる操作手段を操作することにより、その操作に応じた指令信号が赤外線などの光でもってＬＥＤ（図示せず）から送信される。ＴＶ受像機１は、この赤外線をリモコン受光部３で受光することにより、この指令信号を受信し、この指令信号に応じた機能を実行する。
【００２４】
ここで、リモコン６には、操作手段の１つとして、ポインティングデバイス７が設けられている（なお、リモコン６の操作手段としては、このポインティングデバイス７のみを図示し、これ以外の操作手段の図示を省略している）。ポインティングデバイス７は、そのエリアがその中心点を中心とする円状の第１エリア９とその周りの環状の第２のエリア１０とに区分され、これら第１エリア９，第２のエリア１０内を移動可能にスライダ８が設けられた構成をなしている。
【００２５】
このスライダ８は、ユーザが指先（図示せず）でタッチしてポインティングデバイス７の面に平行にこの指先を移動させることにより、第１，第２のエリア９，１０内で移動する。スライダ８を指先でタッチすると、これに応じた指令信号が、上記のようにして、ＴＶ受像機１に送信され、これにより、ＴＶ受像機１では、そのＴＶ画面２上にカーソル可動エリア５がその輪郭線でもって表示されるとともに、このカーソル可動エリア５内にカーソル４が表示される。
【００２６】
ＴＶ画面２でのカーソル可動エリア５はリモコン６のポインティングデバイス７での第１のエリア９に対応するものであって、カーソル可動エリア５の中心点が第１のエリア９の中心点に該当し、カーソル可動エリア５の中心点からの方向は第１のエリア９の中心点からの方向に対応している。即ち、ポインティングデバイス７で、図示するように、その中心点を原点とし、リモコン６の図示する長手方向をＹ座標軸方向、これに垂直な方向をＸ座標軸方向とする座標系を想定すると、ＴＶ画面２でのカーソル可動エリア５では、その中心点から上下方向がポインティングデバイス７でのＹ座標軸に対応し、その中心点から左右方向がポインティングデバイス７でのＸ座標軸に対応する。また、カーソル可動エリア５内で、その中心点からの距離はポインティングデバイス７での第１のエリア９での中心点からの距離と所定の関係（例えば、カーソル可動エリア５の半径と第１のエリア９の半径との関係）で対応付けられている。
【００２７】
従って、カーソル可動エリア５内の位置と第１のエリア９内の位置とは一対一に対応し、また、それらの中心点からの方向も一対一に対応している。
【００２８】
そこで、リモコン６のポインティングデバイス７において、スライダ８を指先でタッチして第１のエリア９内を移動させると、カーソル可動エリア５内において、このスライダ８の移動方向に応じた方向にこのスライダ８の移動距離に応じた移動距離だけ移動し、スライダ８の到達位置に応じた位置にカーソル４が位置することになる。
【００２９】
また、リモコン６のポインティングデバイス７での第２のエリア１０は、ＴＶ画面２でカーソル可動エリア５を移動させるためのものであって、スライド８がこの第２のエリア１０内に入ると、カーソル可動エリア５がＴＶ画面２上を移動する。この場合のカーソル移動エリア５の移動方向は、ポインティングデバイス７での中心点から見た第２のエリア１０でのスライダ８の位置の方向に対応する方向であり、スライダ８がこの第２のエリア９内に存在する限り、ＴＶ画面２ないにおいて、カーソル可動エリア５が移動し続ける。
【００３０】
これにより、ＴＶ画面２上で、カーソル４の移動はカーソル可動エリア５内に制限されるが、スライダ８をポインティングデバイス７の第２のエリア１０内に移動させることにより、このカーソル可動エリア５を移動させることができるので、カーソル２をＴＶ画面２内の任意の位置に設定することができる。
【００３１】
なお、ＴＶ画面２上でカーソル可動エリア５の輪郭線５ａは、表示されてもよいし、表示されなくてもよい。以下では、説明の都合上、表示されるものとして説明する。後述の実施形態においても、同様である。
【００３２】
また、以上は、ＴＶ受像機１についてのものであったが、ＰＣやレコーダなどのカーソルを表示する表示画面を有する映像表示装置についても同様である。このことも、また、後述の実施形態においても、同様である。
【００３３】
図２は図１に示す映像表示システムのシステム構成を示すブロック図であって、同図（ａ）は映像表示装置をレコーダ機能を備えたＴＶ受像機１のシステム構成を、また、同図（ｂ）はＰＣとしたときのシステム構成を夫々示すものであり、１１，１１’はＣＰＵ（中央処理装置）、１２は情報表示部、１３，１３’は記憶装置、１４，１４’はネットワークＩ／Ｆ（インタフェース）、１５，１５’はリムーバブルメディアＩ／Ｆ、１６，１６’は電源、１７，１７’はバス、１８はマウス、１９はディスプレイ、２０はキーボードである。また、図１に対応する部分には同一符号をつけて重複する説明を省略する。
【００３４】
図２（ａ）において、レコーダ機能を備えたＴＶ受像機１の映像表示システムは、ＣＰＵ１１やリモコン受光部３，情報表示部１２，記憶装置１３，ネットワークＩ／Ｆ１４，リムーバブルメディアＩ／Ｆ１５などがバス１７を介して相互に接続された構成をなしており、ＴＶ受像機１の稼動時には、電源１６からこれら各部に電力が供給される。ここで、情報表示部１２は、図１におけるＴＶ画面２である。記憶部１３には、ＣＰＵ１１のプログラムやメニュー画面，カーソル４などの映像が記憶されている。ネットワークＩ／Ｆ１４はアンテナ（図示せず）から放送番組情報を取り込んだり、ネットワーク（図示せず）を介して情報のやり取りをしたりするものであり、リムーバルメディアＩ／Ｆは、ＤＶＤやＣＤなどのリムーバブルメディアを着脱可能とし、かかるリムーバブルメディアで映像情報などの記録・再生を行なうことができるようにするものである。
【００３５】
リモコン受光部３でリモコン６から指令信号の赤外線を受光すると、ＣＰＵ１１はこの指令信号に応じた機能を実行する制御を行ない、ネットワークＩ／Ｆ１４を介してアンテナから放送番組やネットワークを介して情報を取り込み、情報表示部１２で映像表示したり、リムーバブルメディアＩ／Ｆ１５に装着されたリムーバブルメディアへ記録したりする。
【００３６】
また、リモコン６のポインティングデバイス７の操作による赤外線がリモコン受光部３で受光されると、ＣＰＵ１１は、そのときの指令信号に応じて、記憶装置１３からメニュー画面やカーソル４の映像情報を読み取り、上記のように、情報表示部１２でメニュー画面やカーソル４を表示させ、また、カーソル４の移動などのカーソル操作を行なわせる。
【００３７】
このＰＣの場合には、従来と同様、マウス１８などの操作によっても、カーソル操作を行なうことができる。
【００３８】
図２（ｂ）において、ＰＣの映像表示システムは、ＣＰＵ１１’やリモコン受光部３，マウス１８，ディスプレイ１９，キーボード２０，記憶装置１３’，ネットワークＩ／Ｆ１４’，リムーバブルメディアＩ／Ｆ１５’などがバス１７’を介して相互に接続された構成をなしており、ＰＣの稼動時には、電源１６’からこれら各部に電力が供給される。ここで、ディスプレイ１９は、図１でのＴＶ画面２のように、リモコン６やキーボード２０，マウス１８の操作に応じて、画面やカーソルが表示されるものである。記憶部１３７には、ＣＰＵ１１’のプログラムやメニュー画面，カーソル４などの映像が記憶されている。ネットワークＩ／Ｆ１４’はインタネットなどのネットワーク（図示せず）に接続されており、かかるネットワークをインタネット情報や放送番組情報の入力や所定情報の出力を行なうものであり、リムーバルメディアＩ／Ｆ１５’は、ＤＶＤやＣＤなどのリムーバブルメディアを着脱可能とし、かかるリムーバブルメディアで各種情報などの記録・再生を行なうことができるようにするものである。
【００３９】
リモコン受光部３でリモコン６から指令信号の赤外線を受光すると、ＣＰＵ１１’はこの指令信号に応じた機能を実行する制御を行ない、ネットワークＩ／Ｆ１４’を介してインターネットや放送番組情報を取り込み、ディスプレイ１９で映像表示したり、リムーバブルメディアＩ／Ｆ１５’に装着されたリムーバブルメディアへ記録したりする。
【００４０】
また、リモコン６のポインティングデバイス７の操作による赤外線がリモコン受光部３で受光されると、ＣＰＵ１１’は、そのときの指令信号に応じて、記憶装置１３’からメニュー画面やカーソル４の映像情報を読み取り、上記のように、ディスプレイ１９でメニュー画面やカーソル４を表示させ、また、カーソル４の移動などのカーソル操作を行なわせる。
【００４１】
図３は図１における本発明によるカーソル装置装置の第１の実施形態でのポインティングデバイス７の一具体例を示す構成図であって、同図（ａ）は平面図、同図（ｂ）は同図（ａ）の分断線Ａ−Ａ’に沿う断面図であり、２１はリモコン６のケース、２１ａは開口、２２はスティック、２３はリング、２４は円板、２５は位置検出部、２６はスプリングである。また、図１に対応する部分には同一符号をつけて重複する説明を省略する。
【００４２】
図３（ａ），（ｂ）において、リモコン６（図１）のケース２１でのポインティングデバイス７が設けられた箇所には、円形状の開口２１が設けられ、ケース２１内のこの開口２１に対向して、かつ摺動可能に位置検出部２５が設けられている。この位置検出部２５には、そこから直立して先端が開口２１の開口面（開口２１ａでのケース２１の面に平行な面）から突出した細いスティック２２が設けられ、その開口２１から突出した先端部に、例えば、円板状のスライダ８が設けられている。このスティック８は、その底面が開口２１の開口面よりも上側ににあるように、スティック２２に取り付けられている（なお、スライダ８はスティック２２と一体形成されたものでもよい）。また、スティック２２は、これを中心とする円板２４が取り付けられており、ケース２１の下面とこの円板２４との間に、押圧部材、例えば、スプリング２６によって中心位置が開口２１ａの中心軸に一致するように付勢され、かつケース２１の下面と円板２４の上面とに対してスライド可能にリング２３が設けられている。
【００４３】
ここで、円板２４の半径は開口２１ａの半径よりも大きく、リング２３の内径は開口２１ａの半径よりも小さいが、外径は開口２１ａの半径よりも大きく設定されている。
【００４４】
スティック２２は押込み可能であって、指先でスライダ８に軽く触ると（以下、これをタッチ操作という）、スティック２２はわずかに押し込まれ、また、スライダ８を押し込むと（以下、これをクリック操作という）、スティック２２は大きく押し込まれる。但し、スライダ８がクリック操作されても、スライダ８の底面が開口２１の上面（従って、ケース２１の上面）により下がることはない。
【００４５】
指先でスライダ８にタッチし、上記のように、スライダ８をケース２１の面に平行な方向に移動させると（即ち、タッチ操作されると）、これとともに、スティック２２，円板２４，位置検出部２５が移動し、位置検出部２５が図示しないセンサに対して移動することにより、スライダ８の開口２１ａの中心点（これが、上記のポインティングデバイス７の中心点となる）からの移動方向及び移動量が検出され、この検出された移動方向，移動量からスティック２２、従って、スライダ８の開口２１ａ内での位置が検出される。
【００４６】
ここで、リング２３の中心軸が開口２１ａの中心軸に一致しているときのこのリング２３の内壁より内側のエリアが上記のポインティングデバイス７の第１のエリア９であり、同じ状態でのこのリング２３の内壁から開口２１ａの内壁までのエリアがポインティングデバイス７の第２のエリア１０である。図３（ａ）において、リング２３よりも内側のエリアが第１のエリア９であり、リング２３のエリアが第２のエリア１０である。
【００４７】
また、スライダ８を強く押し込んでクリック操作すると、かかる状態も位置検出部２５で検出され、クリック操作が行なわれることが検出される。また、このクリック操作時においても、スライダ８を移動させることができ、後述するように、ドラッグ＆ドロップなどのマウスの右ボタンを操作したときと同様の機能（マウスダウン／アップイベント）を持たせることもできる。
【００４８】
以上のスライダ８の操作に応じた位置検出部２５による検出出力がリモコン６で処理されてＴＶ受像機１（図１）などに送信され、そのＣＰＵなどで処理されてスライダ８の操作に応じた画面表示がなされる。
【００４９】
図４は図３に示すポインティングデバイス７の操作状態を示す図であって、同図（ａ）はスライダ８をポインティングデバイス７の第１のエリア９の縁部まで操作したときの状態、同図（ｂ）はスライダ８をポインティングデバイス７の第２のエリア１０まで操作したときの状態を夫々示し、同図（ａ），（ｂ）の（イ）は平面図、同じく（ロ）は断面図である。なお、図３に対応する部分には同一符号をつけて重複する説明を省略する。
【００５０】
図４（ａ）において、スライダ８が第１のエリア９内を移動しているときには、これに伴ってスティック２２や円板２４，位置検出部２５も同時に移動し、スティック８の移動方向と位置とが検出され、この検出結果に応じて、図１で説明したように、カーソル４がカーソル可動エリア５内を移動する。このとき、リング２３は、スプリング２６により、このリング３の中心軸が開口２１ａの中心軸に一致した状態に保持されている。そして、図４（ａ），（イ）に示すように、スライダ８が第１のエリア９の縁部に達すると、図４（ａ），（ロ）に示すように、スティック２２がリング２３の内壁面に当接する。これが、スライダ８の第１のエリア９での移動の限界である。
【００５１】
図４（ａ）に示す状態から、さらに、スライダ８を第２のエリア１０側に移動させると、スティック２２がリング２３をその内壁側からその半径方向に押すことになり、これにより、リング２３は、ケース２１の内面にスライドしながら、円板２４とともに移動する。このとき、スライダ８は、その底面がケース２１の表面をスライドするか、あるいは、ケース２１の表面からわずかに離れて移動する。これにより、第２のエリア１０での移動中では、指先に加わる加重が大きくなり、あるいは、リング２３が移動開始するときに（即ち、第２のエリア１０での移動を開始するときに）生ずる反力が指先に加わる触感（タクタイルフィードバック）があるようにすることもでき、これにより、ユーザはスライダ８が第２のエリア１０に移動したことを認識することができる。
【００５２】
図４（ｂ），（イ）に示すように、スライダ８が第２のエリアの限界まで移動した状態では、図４（ｂ），（ロ）に示すように、スティック２２はケース２１の開口２１ａの内壁面に当接しており、これにより、スライダ８の第２のエリアでの移動が制限される。
【００５３】
なお、ここでは、スライダ８が第１のエリア９にあるか、第２のエリア１０にあるかの判定は、位置検出部２５によって検出されるスライダ８の位置によって判定することができるが、リング２３の外周に沿って複数のスイッチを設け、このリング２３の移動開始によっていずれかのスイッチがオンすることにより、スライダ８が第２のエリア１０に入ったことを検知するようにしてもよい。あるいは、スイッチの代わりに、圧力センサであってもよい。
【００５４】
次に、図５〜図１２により、図１に示す第１の実施形態でのカーソル操作方法について説明する。
【００５５】
図５は図１におけるＴＶ画面２におけるカーソル可動エリア５内でのカーソル４の操作方法を示す図であって、同図（ａ）はＴＶ画面２内でのカーソル４の位置の変化を、同図（ｂ）はこれに対するポインティングデバイス７での操作を夫々示すものであり、Ｓは指先である。また、前出図面に対応する部分には同一符号をつけて重複する説明を省略する。
【００５６】
図５（ａ），（イ）はカーソル４がＴＶ画面２でのカーソル可動エリア５の中心部に位置している状態を示しており、この場合には、図５（ｂ），（イ）に示すように、指先Ｓでタッチされたスライダ８はポインティングデバイス７の第１エリア９の中心部にある。
【００５７】
かかる状態から指先Ｓでスライダ８を右方向（以下では、「方向」は図面上での方向を言うことになる）にスライドさせると、これに応じてカーソル４もカーソル可動エリア５内を右方向に移動し、図５（ｂ），（ロ）に示すように、スライダ８が第１のエリア９の第２のエリア１０との境界近傍に達すると、図５（ａ），（ロ）に示すように、カーソル４もカーソル可動エリア５の境界（輪郭線５ａ）の近傍に達する。そして、さらに、例えば、図５（ｂ），（ハ）に示すように、指先Ｓでスライダ８を第１のエリア９と第２のエリア１０との境界に沿って時計廻り方向にスライドさせると、図５（ａ），（ハ）に示すように、カーソル４がカーソル可動エリア５の境界に沿って時計廻り方向に移動する。
【００５８】
このようにして、スライダ８をポインティングデバイス７の第１のエリア９内でスライドさせることにより、カーソル４をカーソル可動エリア５内の任意の位置に移動させることができる。
【００５９】
図６は図１におけるＴＶ画面２でのカーソル可動エリア５の移動操作方法の一具体例を示す図であって、同図（ａ）はＴＶ画面２内でのカーソル可動エリア５の移動を、同図（ｂ）はこれに対するポインティングデバイス７での操作を夫々示し、図５に対応する部分には同一符号をつけて重複する説明を省略する。
【００６０】
図６（ａ），（イ）はカーソル４がＴＶ画面２でのカーソル可動エリア５の縁部に位置している状態を示しており、この場合には、図６（ｂ），（イ）に示すように、指先Ｓでタッチされたスライダ８はポインティングデバイス７の第１エリア９と第２のエリア１０との右側境界の近傍にある。
【００６１】
かかる状態から指先Ｓでスライダ８をさらに右方向にスライドさせると、図６（ｂ），（ロ）に示すように、スライダ８が第２のエリア１０に入り込み、図６（ａ），（ロ）に示すように、カーソル可動エリア５が破線から実線に変化するように、図６（ａ），（イ）に示すもとの位置から予め決められた所定の速度でスライド８の移動方向と同じ右方向に移動する。そして、図６（ｂ），（ハ）に示すように、スライダ８をそのまま第２のエリア１０内に保持しておくと、図６（ｂ），（ハ）に示すように、カーソル可動エリア５が移動し続ける。
【００６２】
ここで、カーソル可動エリア５の移動方向は、第２のエリア１０でのスライダ８のポインティングデバイス７の中心点（即ち、第１のエリア９での中心位置）から見た方向と同じ方向であり、従って、第２のエリア１０内でスライダ８の位置を変化させ、このスライダ８のポインティングデバイス７の中心点からの方向を変化させた場合には、ＴＶ画面２でのカーソル可動エリア５の移動方向も、同様に、変化する。
【００６３】
このようにして、ＴＶ画面２でのカーソル４の目標位置（選択対象物の位置）がカーソル可動エリア５からはずれている場合には、スライダ８をポインティングデバイス７の第２のエリア１０でのこの目標位置の方向に相当する方向の位置に設定することにより、この目標位置をカーソル可動エリア５内に入るようにすることができる。
【００６４】
なお、スライダ８が第２のエリア１０内にあるときには、図４（ｂ）で説明したように、スライダ８のスティック２２により、リング２３がスプリング２６（図３（ｂ））の付勢力に抗して変位されているので、この状態で、図６（ｂ），（ニ）に示すように、指先Ｓをスライダ８から離すと、スプリング２６の付勢力により、リング２３が図４（ａ）に示すもとの状態に戻ることになり、従って、スライダ８が第１のエリア９に戻って図６（ａ），（ニ）に示す状態に戻ることになる。この場合、ＴＶ画面２でのカーソル可動エリア５の位置やこのカーソル可動エリア５内でのカーソル４の位置は変化しない。従って、この状態から第１のエリア９内でのスライダ８の操作が可能となり、カーソル４をカーソル可動エリア５内で位置変化させることができる。このことは、他の実施形態においても同様である。
【００６５】
図７は図６に示す具体例での処理の一連の流れを示すフローチャートである。
【００６６】
同図において、スライダ８に指先をタッチしてスライダ８の操作状態になると（ステップ１００）、位置検出部２５（図３（ｂ））によってスライブ８のポインティングデバイス７内での位置が検出される（ステップ１０１）。この検出された位置が第１のエリア９内であるときには（ステップ１０２で“Ｙｅｓ”）、図５で説明したように、ＴＶ画面のカーソル可動エリア（仮想領域）５内でのカーソル操作ができる（ステップ１０３）。
【００６７】
検出されたスライダ８の位置が第１のエリア内でないとき、即ち、第２のエリア１０内であるときには（ステップ１０２の“Ｎｏ”）、図６で説明したように、ポインティングデバイス７の中心点からスライダ８の位置を結ぶ方向であって、この中心点から遠ざかる方向に一定速度でカーソル可動エリア５を移動させる（ステップ１０４）。
【００６８】
図８は図１におけるＴＶ画面２におけるカーソル可動エリア５の移動操作方法の他の具体例を示す図であって、同図（ａ）はＴＶ画面２内でのカーソル可動エリア５の移動を、同図（ｂ）はこれに対するポインティングデバイス７での操作を夫々示すものであり、図６に対応する部分には同一符号をつけて重複する説明を省略する。
【００６９】
図８（ａ），（イ）及び図８（ｂ），（イ）は、図８（ａ），（イ）及び図８（ｂ），（イ）と同様の状態を示すものである。また、図８（ａ），（ロ）及び図８（ｂ），（ロ）は、図６（ａ），（ロ）及び図６（ｂ），（ロ）と同様の状態を示すものであるが、スライダ８は第２のエリア１０内の第１のエリア９と第２のエリア１０との境界近傍にあるものとしている。
【００７０】
この具体例は、第２のエリア１０において、スライダ８がポインティングデバイス７の中心点から遠ざかるほど（これは、例えば、先の位置検出部２５や圧力センサで検出することができる。）、ＴＶ画面２でのカーソル可動エリア５の移動速度が速くなるようにしたものである。
【００７１】
そこで、スライダ８が、図８（ｂ），（ロ）に示すように、第２のエリア１０内の第１のエリア９と第２のエリア１０との境界近傍にあるときには、図８（ａ），（ロ）に示す速度でカーソル可動エリア５が移動したものとすると、図８（ｂ），（ハ）に示すように、スライダ８を第１のエリア９と第２のエリア１０との境界から離れるようにスライドさせたときには、図８（ａ），（ハ）に示すように、カーソル可動エリア５はより高速に移動することになる。
【００７２】
この具体例においても、先の図６に示した実施形態と同様、スライダ８が第２のエリア１０内にある、例えば、図８（ｂ），（ハ）に示すこの状態で、図８（ｂ），（ニ）に示すように、指先Ｓをスライダ８から離すと、スプリング２６の付勢力により、スライダ８が第１のエリア９に戻って図８（ａ），（ニ）に示す状態に戻ることになる。この場合も、ＴＶ画面２でのカーソル可動エリア５の位置やこのカーソル可動エリア５内でのカーソル４の位置は変化しない。
【００７３】
このように、この具体例では、スライダ８の第２のエリア１０内での位置に応じてＴＶ画面２でのカーソル可動エリア５の移動速度を変化させることができるので、カーソル可動エリア５からカーソル４の目標位置までの距離に応じてこの移動速度を調整することができ、カーソル可動エリア５からカーソル４の目標位置までの距離にかかわらず、目標位置へのカーソル４の位置設定を迅速に行なうことができる。
【００７４】
図９は図８に示す具体例での処理の一連の流れを示すフローチャートであって、図７に対応するステップには同一符号をつけて重複する説明を省略する。
【００７５】
同図において、位置検出されたスライダ８の位置が第２のエリア１０内であるときには（ステップ１０２の“Ｎｏ”）、ポインティングデバイス７の中心点からスライダ８の位置を結ぶ方向で第１のエリア９と第２のエリア１０との境界からスライダ８の位置までの距離Ｌを測定し（ステップ１０５）、また、ポインティングデバイス７の中心点からスライダ８の位置を結ぶ方向Ｄを測定し（ステップ１０６）、ＴＶ画面２において、カーソル移動エリア５を測定した方向Ｄに対応する方向に測定した距離Ｌに応じた速度で移動させる（ステップ１０７）。
【００７６】
図１０は図１におけるＴＶ画面２におけるカーソル可動エリア５の移動操作方法のさらに他の具体例を示す図であって、同図（ａ）はＴＶ画面２内でのカーソル可動エリア５の移動を、同図（ｂ）はこれに対するポインティングデバイス７での操作を夫々示すものであり、図８に対応する部分には同一符号をつけて重複する説明を省略する。
【００７７】
この具体例は、スライダ８を指先Ｓでスライドさせてカーソル４やカーソル可動エリア５を移動させる点については、先の図５〜図８に示す具体例と同様であるが、スライダ８から指先Ｓを離したときの動作が異なるものである。
【００７８】
図１０（ｂ），（イ）は指先Ｓでスライダ８をポインティングデバイス７の第２のエリア１０内に移動させた状態を示すものであって、かかる状態では、図１０（ａ），（イ）に示すように、カーソル可動エリア５が移動しているが、このとき、スライダ８から指先Ｓを離すと、図１０（ｂ），（ロ）に示すように、スライダ８がポインティングデバイスの中心点に自動的に戻り、これとともに、ＴＶ画面２では、カーソル４がそのときのカーソル可動エリア５の中心点に自動的に移動（復帰）する。
【００７９】
これによると、カーソル可動エリア５をＴＶ画面２内の所望の目標位置を含む位置に移動させた後、スライダ８から指先Ｓを離すと、カーソル４がこのカーソル可動エリア５の中心点に戻るから、この中心点から目標位置にカーソル４を移動させることができ、カーソル可動エリア５の移動操作後のスライダ５の操作開始位置が決まったものとなるので、カーソル可動エリア５の移動操作からカーソル操作への一連の操作がし易くなる。
【００８０】
なお、スライダ８が第１のエリア９内にあるときにスライダ８から指先Ｓを離しても、スライダ８の第１のエリア９内での位置は変化せず、カーソル４はカーソル可動エリア５内で位置固定されている。
【００８１】
なお、このように、第２のエリア１０内にあるスライダ８をポインティングデバイスの中心点に復帰させる手段としては、例えば、図３（ｂ）において、信号検出部２５の底面に永久磁石を設け、また、位置検出部２５の図示しない摺動面のポインティングデバイス７の中心点に対応する位置に電磁石を設け、ポインタ８が第２のエリア１０内にあって指先Ｓが離されたことが検知されると、電磁石に通電してこれと永久磁石とを作用させるようにする手段など考えられる。
【００８２】
図１１はこの第１の実施形態でのポインティングデバイス７のクリック機能の一具体例を示す図であって、同図（ａ）はＴＶ画面内での動作を、同図（ｂ）はこれに対するポインティングデバイスでの操作を夫々示すものであり、２７はアイコンである。また、前出図面に対応する部分には同一符号をつけて重複する説明を省略する。
【００８３】
ポインティングデバイス７では、先に説明したように、マウスの右ボタンの操作と同様のクリック操作が可能であり、この具体例は、かかる操作によるマウスダウンイベントの一例として、ドラッグ＆ドロップの機能について説明するものである。
【００８４】
図１１（ａ），（イ）は、図１１（ｂ），（イ）に示すスライダ８のタッチ操作状態で、ＴＶ画面２上での１つのアイコン２７をカーソル４がフォーカス（選択）した状態を示すものである。
【００８５】
かかる状態でスライダ８を指先Ｓで押し込むクリック操作をし（押し込まれた状態のスライダ８を黒丸で示す）、そのままスライダ８をスライドさせると、ＴＶ画面２上では、カーソル４が移動するとともに、アイコン２７もこのカーソル４とともに移動（ドラッグ）する。そして、図１１（ｂ），（ロ）に示すように、スライダ８をポインティングデバイス７の第２のエリア１０内にスライドさせると、図８または図１０で説明したように、カーソル４とカーソル可動エリア５との間で位置関係が保たれながら、カーソル可動エリア５が移動するが、このとき、図１１（ａ），（ロ）に示すように、アイコン２７もカーソル４とともに移動する。即ち、このときも、アイコン２７はカーソル４に引っ張られることになり、ドラッグが継続する。
【００８６】
そして、アイコン２７がＴＶ画面２上の所定の位置に達し、図１１（ｂ），（ハ）に示すように、スライダ８をポインティングデバイス７の第２のエリア１０から第１のエリア９に戻すと、図１１（ａ），（ハ）に示すように、カーソル可動エリア５の位置が固定され、次いで、図１１（ｂ），（ニ）に示すように、スライダ８の指先Ｓによる押圧を解除すると（タッチ状態あるいはスライダ８から指先Ｓを離した状態）、図１１（ａ），（ニ）に示すように、アイコン２７も位置が固定（ドロップ）される。
【００８７】
なお、以上は、ポインティングデバイス７でスライダ８を第２のエリア１０にスライドさせ、カーソル可動エリア５を移動させながらドラッグ＆ドロップを行なうものであったが、図１１（ｂ），（イ）に示すように、スライダ８を第１のエリア１０内にある場合でも、このスライダ８をスライドさせることにより、図１１（ａ），（イ）において、カーソル可動エリア５内でドラッグ＆ドロップを行なわせることができる。
【００８８】
図１１（ｂ），（ロ）に示すように、スライダ８が第２のエリア１０内にあって、図１１（ａ），（ロ）に示すドラッグが行なわれているときに、スライダ８への押下が解除されても、アイコン２７はそのときの位置にドロップされる。
【００８９】
このようにして、この第１の実施形態では、ポインティングデバイス７がクリック操作可能であって、かかる操作をすることにより、マウスボタンのダウン／アップ操作をしたときのどうさ（マウスダウン／アップイベント）と同様の動作を行なわせることができる。
【００９０】
図１２は図１１に示す具体例での処理の一連の流れを示すフローチャートであって、図９に対応するステップには同一符号をつけて重複する説明を省略する。
【００９１】
同図において、ステップ１００〜１０７は図９と同様であるので、説明を省略する。
【００９２】
図１１（ｂ），（イ）に示すように、スライダ８が第１のエリア９内を移動しているときも（ステップ１０３）、また、図１１（ｂ），（ロ）に示すように、スライダ８が第１のエリア１０内にあるときも（ステップ１０７）、スライダ８が押下されているときには（ステップ１０８の“Ｙｅｓ”）、マウスダウンイベントが発生される（ステップ１０９）。この場合には、例えば、図１１（ａ），（イ）や図１１（ａ），（ロ）に示すように、アイコン２７のドラッグが行なわれる。また、スライダ８が押下されていないときには（ステップ１０８の“Ｎｏ”）、マウスダウンイベントが発生されないが（ステップ１０８の“Ｎｏ”及びステップ１１０の“Ｎｏ”）、スライダ８が押下されている状態からこの押下が解除されると（ステップ１１０の“Ｙｅｓ”）、マウスアップイベントが発生される（ステップ１１１）。この場合には、例えば、図１１（ａ），（ニ）に示すように、アイコン２７の所望位置へのドロップが行なわれる。
【００９３】
ところで、ＴＶ画面２でのカーソル可動エリア５は、設定により、図１３（ａ），（ｂ），（ｃ）に示すように、その大きさを変更することができる。
カーソル可動エリア５が小さい場合には、このカーソル可動エリア５内でカーソル４のより細かい操作が可能となり、カーソル４のより精度の高い位置設定が可能となるが、目標位置がこのカーソル可動エリア５から離れている場合、カーソル可動エリア５の必要移動量が多くなり、このカーソル可動エリア５の移動操作が頻繁になることになるし、また、その移動操作時間も長くなる。
一方、図１３（ｃ）に示すように、カーソル可動エリア５が大きい場合には、目標位置がこのカーソル可動エリア５から離れていても、このカーソル可動エリア５の必要移動量は小さく、目標位置を直ちにカーソル可動エリア５内にいれるようにすることが可能であるが、カーソル可動エリア５内でのカーソル４の細かい位置設定が難しくなり、精度良く位置設定するのに時間を要することになる。
このように、カーソル可動エリア５は一長一短があるが、ユーザによってはカーソル可動エリア５が大きいのを好む場合もあるし、小さいのを好む場合も或る。このため、リモコン６には、カーソル可動エリア５の大きさを変更するための操作手段を設け、ユーザがこれを操作することにより、このユーザの好みの大きさに設定することができるようにする。
また、ＴＶ画面２に表示される映像画面の特性に応じて、カーソル可動エリア５の大きさを変化させるようにすることもできる。これは、表示する映像画面がカーソルの目標位置がまとまった場所にある映像画面であるか、ＴＶ画面２上で分散した位置にあるかを表わす情報が予め映像画面毎に設定されており、ＴＶ受像機１が表示する映像画面に応じて該当するかかる情報を取得し、この情報に応じてリモコン６のポインティングデバイス７での第１のエリア９とカーソル可動エリアとでの位置関係を調整するようにする。
図１４は本発明によるカーソル操作装置の第２の実施形態でのＴＶ画面におけるカーソル可動エリアの移動操作方法の一具体例を示す図であって、同図（ａ）はＴＶ画面内でのカーソル可動エリアの移動を、同図（ｂ）はこれに対するポインティングデバイスでの操作を夫々示すものであり、２８はカーソル可動エリア、２８Ｕは上辺、２８Ｄは下辺、２８Ｒは右辺、２８Ｌは左辺、２９はポインティングデバイス、２９Ｕは上辺、２９Ｄは下辺、２９Ｒは右辺、２９Ｌは左辺、３０は第１のエリア、３１は第２のエリアである。また、前出図面に対応する部分には同一符号をつけて重複する説明を省略する。
【００９４】
この第２の実施形態では、図１４に示すように、リモコン６のポインティングデバイス２９が矩形状もしくは正方形状をなしており、また、ＴＶ受像機のＴＶ画面２に表示されるカーソル可動エリア２８も、ポインティングデバイス２９に相似した矩形状もしくは正方形状をなしている。
【００９５】
このポインティングデバイス２９の構成は、先の実施形態のポインティングデバイス７の図３に示した構成と同様の構成をなしており、内側の矩形または正方形状のエリアが上記の第１のエリア９と同等の動作が行なわれる第１のエリア３０をなしており、その周囲に上記の第２のエリア１０と同等の動作が行なわれる第２のエリア３１が設けられている。
【００９６】
スライダ８は、上記のスライダ８と同様、ポインティングデバイス２９の第１のエリア３０内を任意にスライド可能であり、これにより、ＴＶ画面２のカーソル可動エリア２８では、スライダ８の第１のエリア３０内でのスライドの方向に応じた方向に、移動した距離に応じた距離をカーソル４が移動する。
【００９７】
ポインティングデバイス２９の第２のエリア３１にスライダ８がある場合には、ＴＶ画面２では、先の実施形態でのカーソル可動エリア５のように、カーソル可動エリア２８に対するカーソル４の位置関係を保持したままカーソル可動エリア２８が移動するのであるが、その移動方向は、カーソル可動エリア２８の上辺２８Ｕに垂直な方向（上方向）、下辺２８Ｄに垂直な方向（下方向）、右辺２８Ｒに垂直な方向（右方向）、左辺２８Ｌに垂直な方向（左方向）である。また、スライダ８が第２のエリア３１の角部（折れ曲がり部）にあるときには、その角部に対応するカーソル可動部２８の角部をこのカーソル可動エリア２８の中心から見た方向にこのカーソル可動部エリア２８が移動する。従って、カーソル可動部２８は、８通りの方向に移動可能である。
【００９８】
図１４（ｂ），（イ）は、スライダ８が第１のエリア３０でのこの第１のエリア３０と第２のエリア３１との右側の境界（以下、第１のエリア３０の辺という）近傍にある状態を示しているが、このとき、ＴＶ画面２では、図１４（ａ），（イ）に示すように、カーソル可動エリア２８の右辺２８Ｒ近傍に位置している。かかる状態で、図１４（ｂ），（ロ）に示すように、指先Ｓでスライダ８を第１のエリア３０の右辺から第２のエリア３１内に移動させると、図１４（ａ），（ロ）に示すように、カーソル可動エリア２８に対するカーソル４の位置関係を保持したまま、カーソル可動エリア２８がその右辺２８Ｒの方向（右方向）に移動する。
【００９９】
即ち、スライダ８が第２のエリア３１でのポインティングデバイス２９の右辺２９Ｒ側のエリアにあるときには、カーソル可動エリア２８がその右辺２８Ｒの方向（右方向）に移動し、第２のエリア３１でのポインティングデバイス２９の左辺２９Ｌ側のエリアにあるときには、カーソル可動エリア２８がその左辺２８Ｌの方向（左方向）に移動し、第２のエリア３１でのポインティングデバイス２９の上辺２９Ｕ側のエリアにあるときには、カーソル可動エリア２８がその上辺２８のＵ方向（上方向）に移動し、第２のエリア３１でのポインティングデバイス２９の下辺２９Ｕ側のエリアにあるときには、カーソル可動エリア２８がその下辺２８Ｕの方向（左方向）に移動する。
【０１００】
また、スライダ８が第２のエリア３１でのポインティングデバイス２９の右辺２９Ｒ側のエリアと上辺２９Ｕ側のエリアとの間の角部にあるときには、カーソル可動エリア２８は右上斜め方向に移動し、第２のエリア３１でのポインティングデバイス２９の上辺２９Ｕ側のエリアと左辺２９Ｌ側のエリアとの間の角部にあるときには、カーソル可動エリア２８は左上斜め方向に移動し、第２のエリア３１でのポインティングデバイス２９の左辺２９Ｌ側のエリアと下辺２９Ｄ側のエリアとの間の角部にあるときには、カーソル可動エリア２８は左下斜め方向に移動し、第２のエリア３１でのポインティングデバイス２９の下辺２９Ｄ側のエリアと右辺２９Ｒ側のエリアとの間の角部にあるときには、カーソル可動エリア２８は右下斜め方向に移動する。
【０１０１】
以上により、この第２の実施形態においても、先の実施形態と同様の効果が得られる。
【０１０２】
なお、この第２の実施形態においても、図６または図８に示すように、ＴＶ画面２でのカーソル可動エリア３３が移動するようにしてもよいし、ポインティングデバイス７の第２のエリア１０内にスライドされたズライダ８から指先を離したとき、図６，図８または図１０に示すように動作するようにしてもよい。
【０１０３】
また、この第２の実施形態においても、図１３で説明したように、カーソル可動エリア２８が変更できるようにすることもできる。
【０１０４】
図１５は本発明によるカーソル操作装置の第３の実施形態でのＴＶ画面におけるカーソル可動エリアの移動操作方法の一具体例を示す図であって、同図（ａ）はＴＶ画面内でのカーソル可動エリアの移動を、同図（ｂ）はこれに対するポインティングデバイスでの操作を夫々示すものであり、３２はブロックカーソル、３３はカーソル可動エリア、３４は選択対象物であり、前出図面に対応する部分には同一符号をつけて重複する説明を省略する。
【０１０５】
この第３の実施形態では、図１５に示すように、ＴＶ画面２にマトリックス状に配列されるアイコンなどの選択対象物３４をブロックカーソル３２で選択するものである。このブロックカーソル３２は、縦横複数個ずつの選択対象物を含むカーソル可動エリア３３が設定され、このカーソル可動エリア３３内の選択対象物３４を選択できるものである。カーソル３２は、このカーソル可動エリア３３内を選択対象物３４間を１つずつ（単位で）上下左右斜めに移動可能であって、かかる移動は、ポインティングデバイス７の第１のエリア９でのスライドによって行なわれる。この第１のエリア９の直径はカーソル可動エリア３３の選択対象物の縦横配列の個数に対応するものであって、図示するように、カーソル可動エリア３３内に縦横３×３個の選択対象物が配列されているとすると、ポインティングデバイス７の第１のエリア９において、スライダ８をこの第１のエリア９の辺部の１つの点から他の点に垂直方向にスライドさせることにより、ブロックカーソル３２はカーソル可動エリア３３での垂直方向に配列されている３個の選択対象物に沿って順に移動する。同様に、スライダ８をこの第１のエリア９の辺部の１つの点から他の点に水平方向にスライドさせることにより、ブロックカーソル３２はカーソル可動エリア３３での水平方向に配列されている３個の選択対象物に沿って順に移動する。なお、この場合、スライダ８が第１エリア９の中心部を通るように、垂直，水平方向にスライドさせると、カーソル可動エリア３３内では、ブロックカーソル３２が中心部に垂直，水平方向に配列される対象物３４の列を移動する。
【０１０６】
また、スライダ８がポインティングデバイス７の第２のエリア１０にあるときには、先の実施形態と同様、ＴＶ画面２上でカーソル可動エリア３３を移動させることができる。この場合、カーソル可動エリア３３の移動方向は、先の実施形態と同様、第２のエリア１０でのスライダ８の位置に応じたものである。
【０１０７】
このようにして、この第３の実施形態においても、カーソル可動エリア３３内でのカーソル操作やＴＶ画面２内でのカーソル可動エリア３３の位置調整をすることができ、先の実施形態と同様の効果が得られる。
【０１０８】
なお、この第３の実施形態においても、図６または図８に示すように、ＴＶ画面２でのカーソル可動エリア３３が移動するようにしてもよいし、ポインティングデバイス７の第２のエリア１０内にスライドされたズライダ８から指先を離したとき、図６，図８または図１０に示すように動作するようにしてもよい。
【０１０９】
また、この第３の実施形態においても、図１３で説明したように、カーソル可動エリア３３が変更できるようにすることもできる。
【０１１０】
図１６は図１におけるポインティングデバイスの他の具体例を示す構成図であって、３５Ｕ，３５Ｄ，３５Ｌ，３５Ｒはスイッチであり、図３及び図４に対応する部分には同一符号をつけて重複する説明を省略する。
【０１１１】
同図（ａ）に示すように、スライダ８のスティック２２（図３）が取り付けられている円板２４に対向した４つの異なる方向の位置に夫々、スイッチ３５Ｕ，３５Ｄ，３５Ｌ，３５Ｒが設けられており、スライダ８を移動させることにより、スライダ８が第１のエリア９の縁部に達すると、円板２４がスイッチ３５Ｕ，３５Ｄ，３５Ｌ，３５Ｒのいずれかを押圧するように、スイッチ３５Ｕ，３５Ｄ，３５Ｌ，３５Ｒの位置が設定されている。
【０１１２】
ここで、円板２４がこれらスイッチ３５Ｕ，３５Ｄ，３５Ｌ，３５Ｒを押圧しないスライダ８の移動可能範囲が上記の第１のエリア９であって、図１６（ｂ）に示すように、これらスイッチ３５Ｕ，３５Ｄ，３５Ｌ，３５Ｒのいずれかが円板２４によって押圧されることにより、ＴＶ画面２（図１）でカーソル可動エリア５（図１）が押圧されたスイッチに対応付けられた方向に移動する。ここでは、スイッチ３５Ｕは表示画面２での上方向が対応付けられており、以下、スイッチ３５Ｄ，３５Ｌ，３５Ｒは夫々、表示画面２での下方向，左方向，右方向が対応付けられている。従って、図１６（ｂ）の場合には、円板２４はスイッチ３５Ｒを押圧しているから、表示画面２上では、カーソル可動エリア５が右方向に移動することになる。
【０１１３】
図１７は図１におけるポインティングデバイスのさらに他の具体例を示す構成図であって、３６Ｕは上キー，３６Ｄは下キー，３６Ｌは左キー，３６Ｒは右キーであり、図３及び図４に対応する部分には同一符号をつけて重複する説明を省略する。
【０１１４】
同図（ａ）に示すように、スライダ８が突出したリモコンのケース２１の開孔２１ａ（図３）周囲４つの異なる方向の位置に夫々、十字キー、即ち、上キー３６Ｕ，下キー３６Ｄ，左キー３６Ｌ，右キー３６Ｒが設けられている。これら上キー３６Ｕ，下キー３６Ｄ，左キー３６Ｌ，右キー３６Ｒは、それを押圧操作するように、ＴＶ画面２上でカーソル可動エリア５（図１）を押圧操作されたキーに対応付けられた方向に移動させるものである。即ち、上キー３６Ｕが押圧操作されると、ＴＶ画面２上では、カーソル可動エリア５が上方向に移動し、下キー３６Ｄが押圧操作されると、ＴＶ画面２上では、カーソル可動エリア５が下方向に移動し、左キー３６Ｌが押圧操作されると、ＴＶ画面２上では、カーソル可動エリア５が左方向に移動し、右キー３６Ｒが押圧操作されると、ＴＶ画面２上では、カーソル可動エリア５が右方向に移動する。図１７（ｂ）は右キー３６Ｒが押圧操作された状態を示すものであり、図示しないが、ＴＶ画面２上では、カーソル可動エリア５が右方向に移動することになる。
【０１１５】
図１８は図１におけるポインティングデバイスのさらに他の具体例を示す構成図であって、同図（イ）は平面図、同図（ロ）は縦断面図であり、２１ｂは開口２１ａの縁部の傾斜面である。また、図３及び図４に対応する部分には同一符号をつけて重複する説明を省略する。
【０１１６】
同図（ａ），（イ），（ロ）に示すように、スライダ８のスティック２２は、ケース２１の開口２１ａ内にあって、スライダ８にタッチしないとき、あるいはスライダ８をタッチ操作して移動させるときには、円板２４の上面、従って、ケース２１の上面に対して直立している。
【０１１７】
そして、スライダ８を移動操作し、図１８（ｂ），（イ），（ロ）に示すように、開口２１ａの縁部に達してスティック２２が開口２１ａの縁部に当接すると、スライダ８の操作により、スティック２２を開口２１ａの傾斜面２１ｂに沿って傾斜させることができる。ここで、図示しないが、この傾斜面２１ｂには、例えば、１６個のスイッチが等間隔に配置されており、スティック２２を開口２１ａの傾斜面２１ｂに沿って傾斜させると、このスティック２２により、これらスイッチのいずれかが押圧されることになり、これにより、ＴＶ画面２上では、カーソル可動エリア５（図１）が押圧されたスイッチに対応付けられた方向に移動する。図１８（ｂ）に示す状態では、例えば、ＴＶ画面２上でカーソル可動エリア５が右方向に移動する。
【０１１８】
図１９（ａ）は図１におけるポインティングデバイスのさらに他の具体例を示す平面図、同図（ｂ）はその一変形例を示す平面図であって、８1，８2はスライダ、２１ａ1，２１ａ2はケースの開口、３７は十字キーである。
【０１１９】
同図（ａ）に示すように、この具体例では、リモコンのケースの左右側に２つの開口２１ａ1，２１ａ2が形成され、これら開口２１ａ1，２１ａ2に夫々スライダ８1，８2が設けられている。開口２１ａ1は、スライダ８1の移動操作によってＴＶ画面２上のカーソル可動エリア５（図１）内でカーソル４が移動するものであり、先の第１のエリア９（図１）に相当するエリアを形成する。また、開口２１ａ2は、スライダ８2の移動操作によってＴＶ画面２上でカーソル可動エリア５が移動するものであり、先の第１のエリア１０（図１）に相当するエリアを形成する。
【０１２０】
このように、２つのスライダ８1，８2を左右に配列して設けることにより、カーソル操作を両手で行なうことができる。
【０１２１】
なお、この具体例の一変形例として、図１９（ｂ）に示すように、図１９（ａ）でのスライダ８２の代わりに、十字キー３７を用いるようにしてもよい。
【図面の簡単な説明】
【０１２２】
【図１】本発明によるカーソル操作装置の第１の実施形態を用いた映像表示システムを示す構成図である。
【図２】図１に示す映像表示システムのシステム構成を示すブロック図である。
【図３】図１におけるポインティングデバイスの一具体例を示す構成図である。
【図４】図１におけるリモコンのポインティングデバイスの操作状態を示す図である。
【図５】図１におけるＴＶ画面におけるカーソル可動領域内でのカーソルの操作方法を示す図である。
【図６】図１におけるＴＶ画面におけるカーソル可動領域の移動操作方法の一具体例を示す図である。
【図７】図６に示す具体例での処理の一連の流れを示すフローチャートである。
【図８】図１におけるＴＶ画面におけるカーソル可動領域の移動操作方法の他の具体例を示す図である。である。
【図９】図８に示す具体例での処理の一連の流れを示すフローチャートである。である。
【図１０】図１におけるＴＶ画面におけるカーソル可動領域の移動操作方法のさらに他の具体例を示す図である。
【図１１】図１に示すポインティングデバイス７のクリック機能の一具体例を示す図である。
【図１２】図１１に示す具体例での処理の一連の流れを示すフローチャートである。
【図１３】図１に示す第１の実施形態でのＴＶ画面でのカーソル可動エリアの大きさを変更可能したときの説明図である。
【図１４】本発明によるカーソル操作装置の第２の実施形態でのＴＶ画面におけるカーソル可動領域の移動操作方法の一具体例を示す図である。
【図１５】本発明によるカーソル操作装置の第３の実施形態でのＴＶ画面におけるカーソル可動エリアの移動操作方法の一具体例を示す図である。
【図１６】図１におけるポインティングデバイスの他の具体例を示す構成図である。
【図１７】図１におけるポインティングデバイスのさらに他の具体例を示す構成図である。
【図１８】図１におけるポインティングデバイスのさらに他の具体例を示す構成図である。
【図１９】図１におけるポインティングデバイスのさらに他の具体例を示す構成図である。
【符号の説明】
【０１２３】
１  ＴＶ受像機
２  ＴＶ画面
３  リモコン受光部
４  カーソル
５  カーソル可動エリア
５ａ  輪郭線
６  リモコン
７  ポインティングデバイス
８  スライダ
９  第１のエリア
１０  第２のエリア
１１，１１’  ＣＰＵ
１２  情報表示部
２１  リモコンのケース
２１ａ  開口
２１ｂ  傾斜面
２２  スティック
２３  リング
２４  円板
２５  位置検出部
２６  スプリング
２７  アイコン
２８  カーソル可動エリア
２９  ポインティングデバイス
３０  第１のエリア
３１  第２のエリア
３２  カーソル
３３  カーソル可動エリア
３４  選択対象物
３５Ｕ，３５Ｄ，３５Ｌ，３５Ｒ  スイッチ
３６Ｕ  上キー，３６Ｄ  下キー，３６Ｌ  左キー，３６Ｒ  右キー
３７  十字キー
【図１】
2008250472.tif 000003
【図２】
2008250472.tif 000004
【図３】
2008250472.tif 000005
【図４】
2008250472.tif 000006
【図５】
2008250472.tif 000007
【図６】
2008250472.tif 000008
【図７】
2008250472.tif 000009
【図８】
2008250472.tif 000010
【図９】
2008250472.tif 000011
【図１０】
2008250472.tif 000012
【図１１】
2008250472.tif 000013
【図１２】
2008250472.tif 000014
【図１３】
2008250472.tif 000015
【図１４】
2008250472.tif 000016
【図１５】
2008250472.tif 000017
【図１６】
2008250472.tif 000018
【図１７】
2008250472.tif 000019
【図１８】
2008250472.tif 000020
【図１９】
2008250472.tif 000021